(57)【要約】【課題】使用者の使い勝手を向上させることができるコーナーキャビネットを提供する。【解決手段】コーナーキャビネット２は、システムキッチン１におけるコーナー部の入隅部に対応する位置に開口部６３が形成されたキャビネット本体６と、キャビネット本体６内において開口部６３から奥側の隅部に向かって出し入れ自在に納められた収納ワゴン７と、キャビネット本体６内における収納ワゴン７の左右両側に形成される空間Ｓ１において上下方向の軸線Ｘ回りに一端部が回動可能に設けられた上下複数段の収納棚８とを備えている。複数段の収納棚８は、収納ワゴン７がキャビネット本体６から引き出された状態で、空間Ｓ１に格納された格納位置から軸線Ｘ回りに回動することで開口部６３よりも手前に露出する部分それぞれ有し、互いに独立して回動可能である。【選択図】図２
2018108293.tif 000002
【特許請求の範囲】
【請求項１】
システムキッチンのコーナー部に設置されるコーナーキャビネットであって、
前記コーナー部の入隅部に対応する位置に開口部が形成されたキャビネット本体と、
前記キャビネット本体内において、前記開口部から当該開口部に対向する奥側の隅部に向かって出し入れ自在に納められた収納ワゴンと、
前記キャビネット本体内における前記収納ワゴンの左右両側に形成される空間のうち少なくとも一方の空間において、上下方向の軸線回りに一端部が回動可能に設けられた上下複数段の収納棚と、を備え、
前記複数段の収納棚は、前記収納ワゴンが前記キャビネット本体から引き出された状態で、前記一方の空間に格納された格納位置から前記軸線回りに回動することで、前記開口部よりも手前に露出する部分をそれぞれ有し、互いに独立して回動可能である、コーナーキャビネット。
【請求項２】
前記格納位置における前記収納棚の前記収納ワゴン側の一側面と反対側の他側面、及び当該他側面に対向する前記キャビネット本体の側面のうち、一方に設けられたマグネット部材と、他方に設けられ前記マグネット部材に磁力で吸着される磁性部材と、をさらに備え、
前記収納棚は、前記磁性部材が前記マグネット部材に磁力により吸着されることで、前記格納位置に保持される、請求項１に記載のコーナーキャビネット。
【請求項３】
前記収納棚は、前記キャビネット本体内において前記収納ワゴンの左右両側に形成された空間にそれぞれ設けられており、
前記格納位置における前記各収納棚の前記収納ワゴン側の一側面は、手前側から奥側に向かうに従って、前記収納ワゴンの対向する側面に接近するように形成されている、請求項１又は２に記載のコーナーキャビネット。
【請求項４】
前記収納ワゴンの背面が凸円弧面である、請求項１〜３のいずれか１項に記載のコーナーキャビネット。
【請求項５】
前記収納ワゴンは、前記収納棚と同数の棚部を上下方向に配置して構成されており、
前記各棚部は、対応する前記収納棚と同じ高さ位置に配置されている、請求項１〜４のいずれか１項に記載のコーナーキャビネット。
【発明の詳細な説明】
【技術分野】
【０００１】
本発明は、コーナーキャビネットに関する。
【背景技術】
【０００２】
平面視でＬ字形状のシステムキッチンには、そのコーナー部に、例えば特許文献１に示すようになコーナーキャビネットを設けたものが知られている。図８に示すように、特許文献１に示すコーナーキャビネット１００は、システムキッチン２００のコーナー部の入隅部に対応する位置に開口部１０１ａ（図９参照）が形成されたキャビネット本体１０１と、このキャビネット本体１０１に対して、開口部１０１ａから当該開口部１０１ａの奥側の隅部に向かって出し入れ自在に設けられた収納ワゴン１０２と、キャビネット本体１０１内において収納ワゴン１０２の左右両側のデッドスペースにそれぞれ配置された左右一対の収納棚１０３とを備えている。
【０００３】
収納棚１０３は、前記デッドスペースを埋めるように平面視で三角形状に形成されており、キャビネット本体１０１の内壁面１０１ｂに取り付けられた前後方向に延びるレール１０４によりスライド可能に支持されている。また、収納棚１０３は、上下方向に複数段（図８では最上段のみ図示）設けられており、各収納棚１０３に収納物を出し入れするときには、図９に示すように、まず収納ワゴン１０２を手前に引き出した後、左右いずれか（図例では右側）に配置された収納棚１０３を手前にスライドさせながら引き出すことで、収納物を出し入れすることができるようになっている。
【先行技術文献】
【特許文献】
【０００４】
【特許文献１】特開２００２−２８０３９号公報
【発明の概要】
【発明が解決しようとする課題】
【０００５】
上記のコーナーキャビネット１００にあっては、収納棚１０３が内壁面１０１ｂに設けられたレール１０４に沿って支持されているため、図９に示すように、収納棚１０３を手前に引き出しても、依然として開口部１０１ａよりも奥側に位置する部分１０３ａが多いため、収納棚１０３の前記部分１０３ａに対して収納物を出し入れし難いという問題があった。また、上下複数段の収納棚１０３は一体となってスライドするため、下段の収納棚１０３に収納物を出し入れするときには、その収納物を上段の収納棚１０３と干渉しないように出し入れしなければならず、その出し入れ作業が面倒であった。
【０００６】
本発明は、このような事情に鑑みてなされたものであり、使用者の使い勝手を向上させることができるコーナーキャビネットを提供することを目的とする。
【課題を解決するための手段】
【０００７】
本発明のコーナーキャビネットは、システムキッチンのコーナー部に設置されるコーナーキャビネットであって、前記コーナー部の入隅部に対応する位置に開口部が形成されたキャビネット本体と、前記キャビネット本体内において、前記開口部から当該開口部に対向する奥側の隅部に向かって出し入れ自在に納められた収納ワゴンと、前記キャビネット本体内における前記収納ワゴンの左右両側に形成される空間のうち少なくとも一方の空間において、上下方向の軸線回りに一端部が回動可能に設けられた上下複数段の収納棚と、を備え、前記複数段の収納棚は、前記収納ワゴンが前記キャビネット本体から引き出された状態で、前記一方の空間に格納された格納位置から前記軸線回りに回動することで、前記開口部よりも手前に露出する部分をそれぞれ有し、互いに独立して回動可能である。
【０００８】
本発明によれば、キャビネット本体内において収納ワゴンの左右両側に形成される空間のうち少なくとも一方の空間に格納されている上下複数段の収納棚を前記軸線回りに回動させることで、当該収納棚を開口部よりも手前に露出させることができる。その際、上下複数段の収納棚を互いに独立して回動させることができるので、例えば下段の収納棚に収納物を出し入れするときには、当該下段の収納棚のみを前記露出した状態となるまで回動させることで、収納物を上段の収納棚と干渉することなく下段の収納棚に出し入れすることができる。これにより、使用者の使い勝手を向上させることができる。
【０００９】
前記コーナーキャビネットは、前記格納位置における前記収納棚の前記収納ワゴン側の一側面と反対側の他側面、及び当該他側面に対向する前記キャビネット本体の側面のうち、一方に設けられたマグネット部材と、他方に設けられ前記マグネット部材に磁力で吸着される磁性部材と、をさらに備え、前記収納棚は、前記磁性部材が前記マグネット部材に磁力により吸着されることで、前記格納位置に保持されるのが好ましい。
【００１０】
この場合、収納棚は、格納位置まで回動するとマグネット部材の磁力により格納位置に保持されるので、収納棚が格納位置にある状態で収納ワゴンをキャビネット本体に出し入れするときに、その出し入れを、収納棚が回動して阻害するのを抑制することができる。これにより、使用者の使い勝手をさらに向上させることができる。また、地震等によってキャビネット本体が揺れても収納棚が格納位置から回動するのを抑制することができるので、収納棚内の収納物が倒れたり落下したりするのを抑制することができる。
【００１１】
前記コーナーキャビネットにおいて、前記収納棚は、前記キャビネット本体内において前記収納ワゴンの左右両側に形成された空間にそれぞれ設けられており、前記格納位置における前記各収納棚の前記収納ワゴン側の一側面は、手前側から奥側に向かうに従って、前記収納ワゴンの対向する側面に接近するように形成されているのが好ましい。
この場合、両収納棚が格納位置にある状態で、両収納棚の間に収納ワゴンが納まる空間は、両収納棚の前記一側面によって、手前側（開口部側）が広く形成されるとともに、奥側が狭くなるように形成される。これにより、両収納棚の前記一側面によって収納ワゴンの左右両側面を案内することで、収納ワゴンをキャビネット本体内の所定位置に容易に納めることができるので、使用者の使い勝手をさらに向上させることができる。
【００１２】
前記コーナーキャビネットにおいて、前記収納ワゴンの背面が凸円弧面であるのが好ましい。
この場合、収納ワゴンをキャビネット本体内に納めるときに、収納ワゴンの背面が収納棚に接触しても、その背面である凸円弧面が収納棚に接触しながら滑ることによって、収納ワゴンをキャビネット本体内に案内することができる。これにより、収納ワゴンをキャビネット本体内にスムーズに納めることができるので、使用者の使い勝手をさらに向上させることができる。
【００１３】
前記コーナーキャビネットにおいて、前記収納ワゴンは、前記収納棚と同数の棚部を上下方向に配置して構成されており、前記各棚部は、対応する前記収納棚と同じ高さ位置に配置されているのが好ましい。
この場合、収納棚が格納位置からずれた回動位置にあっても、収納ワゴンをキャビネット本体内に納めるときに、収納棚と同じ高さ位置に配置された棚部が当該収納棚に接触することで、収納棚を確実に格納位置まで回動させることができる。したがって、収納棚を格納位置まで回動させなくても、収納ワゴンをキャビネット本体内に納めるときに、収納棚を格納位置まで回動させることできるので、使用者の使い勝手をさらに向上させることができる。
【発明の効果】
【００１４】
本発明のコーナーキャビネットによれば、使用者の使い勝手を向上させることができる。
【図面の簡単な説明】
【００１５】
【図１】本発明の一実施形態に係るコーナーキャビネットを備えたシステムキッチンの斜視図である。
【図２】システムキッチンの平面図である。
【図３】収納ワゴンの斜視図である。
【図４】コーナーキャビネットの斜視図である。
【図５】収納棚の回動支持部分を示す図４の矢印Ａ部分の拡大断面図である。
【図６】図２のＢ−Ｂ矢視断面図である。
【図７】収納ワゴンの棚部と収納棚との高さ関係を示す断面図である。
【図８】従来のコーナーキャビネットを示す平面図である。
【図９】従来のコーナーキャビネットから収納ワゴン及び一方の収納棚を引き出した状態を示す平面図である。
【発明を実施するための形態】
【００１６】
＜全体構成＞
次に、本発明の好ましい実施形態について添付図面を参照しながら説明する。
図１は、本発明の一実施形態に係るコーナーキャビネットを備えたシステムキッチンの斜視図である。図２は、そのシステムキッチンの平面図である。図１及び図２において、本実施形態のシステムキッチン１は、平面視でＬ字形状に形成されており、コーナー部に設置されたコーナーキャビネット２と、コーナーキャビネット２を挟んで直角に配置された複数のキッチンキャビネット３と、コーナーキャビネット２の上端部、及び複数のキッチンキャビネット３の上端部に設けられたカウンタトップ４とを備えている。
【００１７】
各キッチンキャビネット３には、各種物品を内部に収容できる引き出しタイプの収容部３ａが上下方向に複数段（図１では３段）設けられている。カウンタトップ４は、平面視でＬ字形状に形成されており、カウンタトップ４の上面には、図示を省略するが、ガスコンロ等よりなる加熱器具、及び食器等の洗い場となるシンク等が取り付けられている。なお、説明の便宜上、図１ではカウンタトップ４のコーナー部を一部切除しており、図２ではカウンタトップ４の図示を省略している。
【００１８】
＜コーナーキャビネット＞
コーナーキャビネット２は、キャビネット本体６と、収納ワゴン７と、一対の収納棚８とを備えている。なお、図１では、説明の便宜上、収納ワゴン７の図示を省略している。キャビネット本体６は、互いに直角に配置された状態で接合された２枚の背面板６１と、各背面板６１の外側端部（隣接するキッチンキャビネット３側の端部）に対して直角に配置された状態で接合された２枚の側面板６２とを有している。両背面板６１の接合部分は、システムキッチン１のコーナー部の出隅部１ａを構成している。
【００１９】
各側面板６２は、平面視で対向する背面板６１よりも短く形成されており、これによって、システムキッチン１のコーナー部の入隅部１ｂに対応する位置に開口部６３が形成されている。キャビネット本体６における開口部６３の上方は、第１補強フレーム６４及び第２補強フレーム６５により補強されている。第１補強フレーム６４は、一方（図２では下側）の側面板６２における開口部６３側の上端部と、この上端部に対向する背面板６１の上端部とを連結している。第２補強フレーム６５は、他方（図２では右側）の側面板６２における開口部６３側の上端部と、この上端部に対向する第１補強フレーム６４の途中部とを連結している。
【００２０】
なお、第１補強フレーム６４は、前記他方（図２では右側）の側面板６２における開口部６３側の上端部と、この上端部に対向する背面板６１の上端部とを連結してもよい。この場合、第２補強フレーム６５は、前記一方（図２では下側）の側面板６２における開口部６３側の上端部と、この上端部に対向する第１補強フレーム６４の途中部とを連結すればよい。
【００２１】
＜収納ワゴン＞
図３は、収納ワゴン７の斜視図である。図２及び図３において、収納ワゴン７は、キャビネット本体６内において、開口部６３から奥側の隅部（出隅部１ａ）に向かって出し入れ自在に納められている。収納ワゴン７は、前面板７１と、上下方向に複数段（図３では２段）配置された棚部７３と、下段の棚部７３の下方に設けられた複数の車輪７８とを備えており、各棚部７３に各種物品を収納できるようになっている。
【００２２】
前面板７１は、収納ワゴン７がキャビネット本体６内に納まった位置（以下、「納まり位置」ともいう）で開口部６３を閉鎖するように形成されている。具体的には、前面板７１は、納まり位置で第１及び第２補強フレーム６４，６５の外側面に沿って配置されるように、平面視で奥側（棚部７３側）に直角に折り曲げて形成されている。また、前面板７１は、納まり位置において、左右両側の側縁部７１ａが各側面板６２の開口部６３側の側縁部に当接するように形成されている。これにより、前面板７１の折り曲げ部分は、納まり位置でシステムキッチン１のコーナー部の入隅部１ｂを構成している。前面板７１の正面側の上端部には、収納ワゴン７を出し入れ操作するための取手７２が取り付けられている。
【００２３】
各棚部７３は、底板部７４と、この底板部７４の外縁部に沿って立設された左右一対の側板部７５及び背板部７６とを有している。底板部７４の基端部は、前面板７１に沿って直角に凹むように形成されており、前面板７１の裏面に対して突出して固定されている。底板部７４の先端部及び背板部７６は、平面視で半円弧形状に形成されており、背板部７６の背面７６ａは凸円弧面とされている。これにより、納まり位置において棚部７３の背板部７６がキャビネット本体６の背面板６１と干渉しない範囲で、棚部７３の収納スペースを可及的に広くすることができる。なお、背板部７６の背面７６ａは、凸円弧面以外の形状に形成されていてもよい。
【００２４】
上段の棚部７３における底板部７４の先端部は、下段の棚部７３の背板部７６から上方に延びる左右一対の支持棒７７によって支持されている。車輪７８は、下段の棚部７３の底板部７４において、前後左右の４隅の下方にそれぞれ取り付けられている（図７も参照）。これにより、収納ワゴン７をキャビネット本体６内にスムーズに出し入れすることができる。
【００２５】
＜収納棚＞
図４は、コーナーキャビネット２の斜視図である。なお、図４では、説明の便宜上、収納ワゴン７の図示を省略している。図２及び図４において、キャビネット本体６内において、納まり位置にある収納ワゴン７の左右両側に形成された平面視で三角形状の空間Ｓ１それぞれには、上下方向に複数段（図４では２段）の収納棚８が設けられている。各収納棚８には、各種物品を収納できるようになっている。
【００２６】
各収納棚８は、平面視で扇型形状に形成されており、その扇型形状の中心部側の端部に形成された円筒部８１と、円筒部８１の下端部に接続された扇型形状の底板部８２と、この底板部８２の外縁部に沿って立設された左右一対の側板部８３，８４及び背板部８５とを有している。一対の側板部８３，８４は、平面視において円筒部８１の外周から放射状に延びて形成されている。
【００２７】
背板部８５は、円筒部８１の上下方向の軸線Ｘを中心とする円弧形状に形成されており、背板部８５の周方向の両端部は各側板部８３，８４の端部に接続されている。各収納棚８は、空間Ｓ１内の開口部６３に近い位置で、円筒部８１を介してその軸線Ｘ回りに水平方向に回動可能に設けられている。
【００２８】
図５は、収納棚８の回動支持部分を示す図４の矢印Ａ部分の拡大断面図である。図４及び図５において、キャビネット本体６における各空間Ｓ１の開口部６３側の端部には上下方向に延びる固定軸１１がそれぞれ配置されており、各固定軸１１の上下両端部は、それぞれ一対の軸受部１２を介して、キャビネット本体６の各側面板６２の裏面に固定されている。固定軸１１の各端部には、一対の軸受部１２の間に収納棚８の円筒部８１が軸線Ｘ回りに回転可能に支持されている。これにより、図２に示す状態から収納ワゴン７をキャビネット本体６から引き出すことで、各空間Ｓ１に設けられた上下２段の収納棚８を、軸線Ｘ回りに互いに独立して水平方向に回動させることができる。
【００２９】
図４の左側に配置された各収納棚８は、その回動時に背板部８５が図４の右側に配置された側面板６２の開口部６３側の側縁部６２ｂと干渉しない程度の大きさに形成されている（図２参照）。同様に、図４の右側に配置された各収納棚８は、その回動時に背板部８５が図４の左側に配置された側面板６２の開口部６３側の側縁部６２ｂと干渉しない程度の大きさに形成されている。
【００３０】
以上の構成により、図２に示すように、図中の左下側に配置された各収納棚８は、対応する空間Ｓ１に格納された格納位置（図中の実線位置）から、図中の時計回り方向に回動することで、大部分が開口部６３よりも手前に露出した露出位置（図中の二点鎖線位置）となる。同様に、図中の右上側に配置された各収納棚８も、対応する空間Ｓ１に格納された格納位置から図中の反時計回り方向に回動することで、大部分が開口部６３よりも手前に露出した露出位置となる。これにより、収納棚８に対して収納物を容易に出し入れすることができるので、使用者の使い勝手を向上させることができる。
【００３１】
また、各空間Ｓ１において上下２段に設けられた収納棚８を互いに独立して回動させることができるので、例えば下段の収納棚８に収納物を出し入れするときには、当該下段の収納棚８のみを露出位置まで回動させることで、収納物を上段の収納棚８と干渉することなく下段の収納棚８に出し入れすることができる。これにより、使用者の使い勝手をさらに向上させることができる。
【００３２】
図６は、図２のＢ−Ｂ矢視断面図である。図２及び図６において、格納位置に配置された収納棚８の側面板６２側の側板部８４には、その外面（他側面）８４ａの奥側端部に磁性部材１５が設けられている。また、前記外面８４ａに対向する側面板６２の裏面６２ａ（キャビネット本体６の側面）には、磁性部材１５を磁力で吸着するマグネット部材１６が設けられている。
【００３３】
磁性部材１５は、例えば断面Ｌ字形状に形成された磁性金属からなり、底板部８２の底面に沿って配置された水平部１５ａと、側板部８４の外面８４ａに沿って配置された垂直部１５ｂとを有する。水平部１５ａは、ねじ１７により底板部８２に固定されている。
マグネット部材１６は、側面板６２の裏面６２ａにおいて、ねじ１８により固定された取付部材１９に保持されている。
【００３４】
マグネット部材１６の先端面には、磁性部材１５の垂直部１５ｂが当接する緩衝材２０が固定されている。緩衝材２０は、例えばポリウレタンフォームからなる。以上の構成により、収納棚８が格納位置まで回動すると、磁性部材１５の垂直部１５ｂが緩衝材２０に当接してマグネット部材１６に磁力により吸着されることで、収納棚８は格納位置に保持された状態となる。
【００３５】
これにより、収納棚８が格納位置にある状態で収納ワゴン７をキャビネット本体６に出し入れするときに、その出し入れを、収納棚８が回動して阻害するのを抑制することができるので、使用者の使い勝手をさらに向上させることができる。また、地震等によってキャビネット本体６が揺れても収納棚８が格納位置から回動するのを抑制することができる。これにより、収納棚８内の収納物が倒れたり落下したりするのを抑制することができる。
【００３６】
なお、本実施形態では、磁性部材１５を収納棚８側（側板部８４）に設け、マグネット部材１６をキャビネット本体６側（側面板６２）に設けているが、磁性部材１５をキャビネット本体６側に設け、マグネット部材１６を収納棚８側に設けてもよい。
【００３７】
図２において、収納棚８が格納位置にあり、かつ収納ワゴン７が納まり位置にある状態で、収納棚８の側面板６２側の側板部８４は、その外面８４ａと、当該外面８４ａに対向する側面板６２の裏面６２ａとが平行になるように形成されている。これに対して、収納棚８の収納ワゴン７側の側板部８３は、その外面（一側面）８３ａが手前側（円筒部８１側）から奥側（背板部８５側）に向かうに従って、収納ワゴン７の対向する側板部７５の外面（側面）７５ａに接近するように形成されている。
【００３８】
これにより、左右の各空間Ｓ１において収納棚８がマグネット部材１６及び磁性部材１５により格納位置に保持されている状態で、左右の収納棚８の間における収納ワゴン７が納まる空間Ｓ２は、両収納棚８の各外面８３ａによって、手前側（開口部６３側）が広く形成されるとともに、奥側が狭くなるように形成される。以上の構成により、収納ワゴン７をキャビネット本体６内に納めるときに、両収納棚８の外面８３ａによって収納ワゴン７を案内することで、収納ワゴン７をキャビネット本体６内の所定位置に容易に納めることができるので、使用者の使い勝手をさらに向上させることができる。
【００３９】
また、収納ワゴン７をキャビネット本体６内に納めるときに、収納ワゴン７の背面（各棚部７３の背板部７６の背面）７６ａが左右両側の収納棚８に接触しても、その背面７６ａである凸円弧面が収納棚８に接触しながら滑ることによって、収納ワゴン７をキャビネット本体６内に案内することができる。これにより、収納ワゴン７をキャビネット本体６内にスムーズに納めることができるので、使用者の使い勝手をさらに向上させることができる。
【００４０】
図７は、収納ワゴン７の棚部７３と収納棚８との高さ関係を示す断面図である。図７に示すように、収納ワゴン７の上下方向に配置された棚部７３の段数は、各空間Ｓ１において上下方向に配置された収納棚８の段数と同数（２段）であり、各棚部７３は、対応する収納棚８と同じ高さ位置に配置されている。すなわち、収納ワゴン７の下段に配置された棚部７３における床面から底面までの高さｈ１は、キャビネット本体６の下段に配置された収納棚８における床面から底面までの高さＨ１と同じである。また、収納ワゴン７の上段に配置された棚部７３における床面から底面までの高さｈ２は、キャビネット本体６の上段に配置された収納棚８における床面から底面までの高さＨ２と同じである。
【００４１】
以上の構成により、収納棚８が格納位置からずれた回動位置にあっても、収納ワゴン７をキャビネット本体６内に納めるときに、収納棚８と同じ高さ位置に配置された棚部７３が当該収納棚８に接触することで、収納棚８を確実に格納位置まで回動させることができる。したがって、収納棚８を格納位置まで回動させなくても、収納ワゴン７をキャビネット本体６内に納めるときに、収納棚８を格納位置まで回動させることできるので、使用者の使い勝手をさらに向上させることができる。
【００４２】
＜その他＞
なお、今回開示した実施形態は例示であって制限的なものではない。本発明の権利範囲は特許請求の範囲によって示され、特許請求の範囲の構成と均等の範囲内での全ての変更が含まれる。例えば、上記実施形態における収納棚８は、収納ワゴン７の左右両側の空間Ｓ１に設けられているが、いずれか一方の空間Ｓ１のみに設けられていてもよい。
【００４３】
また、上記実施形態では、収納棚８をマグネット部材１６の磁力により格納位置に保持しているが、必ずしも格納位置に保持する必要はない。また、収納ワゴン７において上下方向に配置される棚部７３、及び各空間Ｓ１において上下方向に配置される収納棚８は、互いに異なる段数であってもよい。その際、収納棚８の段数または棚部７３の段数は、１段だけでもよい。また、本実施形態のコーナーキャビネット２は、平面視でＬ字形状のシステムキッチン１に用いられているが、平面視でコ字形状のシステムキッチンなど、コーナー部を有する他のシステムキッチンにも適用することができる。
【符号の説明】
【００４４】
１  システムキッチン
１ｂ  入隅部
２  コーナーキャビネット
６  キャビネット本体
７  収納ワゴン
８  収納棚
１５  磁性部材
１６  マグネット部材
６２ａ  裏面（側面）
６３  開口部
７３  棚部
７５ａ  外面（側面）
７６ａ  背面
８３ａ  外面（一側面）
８４ａ  外面（他側面）
Ｓ１  空間
Ｘ  軸線
【図１】
2018108293.tif 000003
【図２】
2018108293.tif 000004
【図３】
2018108293.tif 000005
【図４】
2018108293.tif 000006
【図５】
2018108293.tif 000007
【図６】
2018108293.tif 000008
【図７】
2018108293.tif 000009
【図８】
2018108293.tif 000010
【図９】
2018108293.tif 000011